(57)【要約】【課題】本発明はマンホールの鉄蓋２を開いて人が出入し易くマンホール内作業を安全迅速に行い得るばかりでなく、施錠にセキュリティ性を附与することを目的とする。【解決手段】受枠１に着脱自在に嵌合支持される鉄蓋２であって、鉄蓋２の経方向線ｄの一端側表面に開口するキャップ嵌込空間３を該鉄蓋２に凹設し、該空間３の底面板３’にボルト頭４と、そのレンチ頭５との共用通過透孔であり、かつ該レンチ頭の専用通過透孔６を開口し、上記底面板３’下にボルト頭収容室７を形成し、ボルト頭収容室７の底板７’に穿設したボルト孔８を経て垂下したボルト４’に受枠１と鉄蓋２とのロック金具９を設けてなり、かつ上記経方向線ｄの他端側裏面にＬ形金具１０の上端部を経方向ボルト１１により着脱自在に支持し、該金具１０の経方向横向部１０’を受枠１の下部に着脱自在に係合させてなるマンホール用鉄蓋。【選択図】  図２
2005023672.tif 000002
【特許請求の範囲】
【請求項１】
受枠に着脱自在に嵌合支持される鉄蓋であって、鉄蓋の経方向線の一端側表面に開口するキャップ嵌込空間を該鉄蓋に凹設し、該空間の底面板にボルト頭と、そのレンチ頭との共用通過透孔であり、かつ該レンチ頭の専用通過透孔を開口し、
上記底面板下にボルト頭収容室を形成し、
ボルト頭収容室の底板に穿設したボルト孔を経て垂下したボルトに受枠と鉄蓋とのロック金具を設けてなり、
かつ上記経方向線の他端側裏面にＬ形金具の上端部を経方向ボルトにより着脱自在に支持し、該金具の経方向横向部を受枠の下部に着脱自在に係合させてなるマンホール用鉄蓋。
【請求項２】
上記共用及び専用通過透孔の内周形状が、上記ボルト頭の多角形外周の対向辺中央部から上記レンチ頭に形成したボルト頭挟持脚の通過部を突出させた形状である請求項１記載のマンホール用鉄蓋。
【請求項３】
上記ボルト頭の上記外周が多角形であって、上記共用及び専用通過透孔の凹部に上記多角形ボルト頭の隅を通過させる凸角部を形成し、該凸角部の各辺中央上部に上記多角形ボルト頭挟持脚を通過させる多角形部分を突き出させた上記内周形状である請求項１又は２記載のマンホール用鉄蓋。
【請求項４】
上記ロック金具を受枠下部に設けた横孔に回動により出入可能であり、かつ上記Ｌ形金具の上記横向部が受枠下部に設けた横孔に鉄蓋閉鎖時挿入され上下方向に係合させる請求項１〜３のいずれかに記載のマンホール用鉄蓋。
【発明の詳細な説明】
【０００１】
【発明の属する技術分野】
本発明は地面（ＧＬ）に開口する電気設備その他のマンホールの鉄蓋のセキュリティロック及び人の出入容易性に関するものである。
【０００２】
【従来の技術】
従来、鉄蓋と受枠とを連結する構造のマンホール（例えば特許文献１，２）では、鉄蓋を開けてマンホール内部に入る場合に、連結構造本体が突起物となり、開口部からマンホール内に出入する際、突起物に引掛り、円滑に出入し難く電気工事、水道工事その他の工事に支障を生じた。
【０００３】
又上記連結構造物の反対側における施錠及び開錠機構では鉄蓋に穿設した透孔下に配置した頭部を操作杆で圧下し、錠を発条の力に抗して水平ピンを中心として回動させて開錠する機構（例えば特許文献３，４，５）が主流であり、安全保証性（セキュリティ性）に欠けるという問題があった。
【０００４】
【特許文献１】
実公平７−３９９６３号公報（図２０）
【特許文献２】
実用新案登録第２５５２７７７号公報（図１９）
【特許文献３】
特開平１１−２００４３２号公報（図４、図５）
【特許文献４】
特開２００２−１４６８２１号公報（図４、図５）
【特許文献５】
特開２００２−３２７４４６号公報（図２、図３）
【０００５】
【発明が解決しようとする課題】
本発明はマンホールの鉄蓋を開いて人が出入し易くマンホール内作業を安全迅速に行い得るばかりでなく、施錠にセキュリティ性を附与することを目的とする。
【０００６】
【課題を解決するための手段】
上記の目的を達成するため本発明は
第１に受枠に着脱自在に嵌合支持される鉄蓋であって、鉄蓋の経方向線の一端側表面に開口するキャップ嵌込空間を該鉄蓋に凹設し、該空間の底面板にボルト頭と、そのレンチ頭との共用通過透孔であり、かつ該レンチ頭の専用通過透孔を開口し、上記底面板下にボルト頭収容室を形成し、ボルト頭収容室の底板に穿設したボルト孔を経て垂下したボルトに受枠と鉄蓋とのロック金具を設けてなり、かつ上記経方向線の他端側裏面にＬ形金具の上端部を経方向ボルトにより着脱自在に支持し、該金具の経方向横向部を受枠の下部に着脱自在に係合させてなるマンホール用鉄蓋、
第２に上記共用及び専用通過透孔の内周形状が、上記ボルト頭の多角形外周の対向辺中央部から上記レンチ頭に形成したボルト頭挟持脚の通過部を突出させた形状である上記第１発明記載のマンホール用鉄蓋、
第３に上記ボルト頭の上記外周が多角形であって、上記共用及び専用通過透孔の凹部に上記多角形ボルト頭の隅を通過させる凸角部を形成し、該凸角部の各辺中央上部に上記多角形ボルト頭挟持脚を通過させる多角形部分を突き出させた上記内周形状である上記第１又は第２発明記載のマンホール用鉄蓋、
第４に上記ロック金具を受枠下部に設けた横孔に回動により出入可能であり、かつ上記Ｌ形金具の上記横向部が受枠下部に設けた横孔に鉄蓋閉鎖時挿入され上下方向に係合させる上記第１〜第３発明のいずれかに記載のマンホール用鉄蓋、
によって構成される。
【０００７】
従ってキャップ嵌込空間に嵌込まれたゴム製キャップを（−）ドライバーでこねて鉄蓋の表面から分離し、
現れた上記空間からボルト頭及びレンチ頭の共用及び専用通過透孔を経てレンチ頭を下部のボルト頭収容室の底板に支持されているボルト頭に係合挟持する。
【０００８】
そしてレンチ頭のＴ形軸杆を回動させることによってボルト頭を回動させてボルト及びロック金具を受枠から解除させることができ、
その状態でキャップ嵌込空間又は上記共用及び専用通過透孔に鉤バールを引掛けて上方に牽引し、鉄蓋の一端を持上げ、
さらに経方向に摺動させてＬ形金具の上記横向部を受枠から分離し、鉄蓋を受枠から取外すことができる。
【０００９】
【発明の実施の形態】
地面Ｇ下にマンホールＭが形成され、その円形開口縁に鉄製受枠１を配設する。
【００１０】
この受枠１の内周面１’はテーパ面であり下縁に鉄蓋２の外周下端２’を支持するフランジ１”を設ける。
【００１１】
鉄蓋２の外周面に止水パッキング２”を嵌合支持する環状受溝２ａが形成され、該受溝２ａに支持される止水パッキング２”の外周面が受枠１の内周面１’に嵌合密着するようになっている（図２（ロ）図）。
【００１２】
上記鉄蓋２と受枠１との嵌込位置は経方向線ｄの両端にそれぞれ表示された刻印Ｘ，Ｙ及びＸ’，Ｙ’を符合させて定めることができる。
【００１３】
又鉄蓋２の経方向線ｄの一端側表面（符合刻印Ｘ，Ｙ側）にはゴム製キャップ１２を嵌込む空間３が凹設され、該空間３は開口縁３”を内部より小径となし、図４に示す側面階段形のゴム製キャップ１２を開口縁３”及び空間３内に嵌込み、（−）ドライバー１３で取外すことができる。
【００１４】
上記空間３の底面は広く、該底面下には狭いボルト頭収容室７が底面板３’を介して設けられる。
【００１５】
上記底面板３’にはボルト頭４及び該ボルト頭４の専用レンチ頭５の共用通過透孔であると共に該レンチ頭４外周の専用通過透孔６を穿設開口し、上記収容室７の底板７’に穿設したボルト孔８を経てボルト４’を回動自在に垂下する。
【００１６】
垂下したボルト４’には横向ロック金具９を小ボルト１４で固定し、該金具９の先端部を受枠１の内周面１’の下縁に設けた鉄蓋支持フランジ１”の直下に回動させて図４、図５に示すように鉄蓋２の経方向線ｄの一端部を受枠１にロック（施錠又は噛み合せ）することができる。
【００１７】
鉄蓋２は経方向線ｄの他端側裏面に上記経方向線ｄと直交する取付板１５が垂設され、Ｌ形金具１０の上端部１０”を経方向ボルト１１によって該取付板１５に着脱自在に支持し、
鉄蓋２の閉鎖時に該金具１０の経方向横向部１０’の先端部を受枠１の上記鉄蓋支持フランジ１”の直下に挿入係合し（図２（ロ）図）、鉄蓋２を受け枠１から取外した状態（図２（イ）図）においては上記横向部１０’は受枠１の上記フランジ１”の直下から分離する。即ちＬ形金具１０の上記横向部１０’は受枠１の下部に着脱自在に係合される。
【００１８】
上記フランジ１”の直下には図２（イ）（ロ）図に示すように経方向線ｄの一端側にはロック金具９の出入横孔１６を設け、他端側にはＬ形金具１０の上記横向部１０’の出入横孔１６’が設けられる。
【００１９】
上記共用及び専用通過透孔６は１個の異形多角形透孔（図７（ロ）（ハ）図）よりなり、その内周形状は上記ボルト頭４の正多角形外周（例えば図３実線、図７（イ）（ハ）図仮想線に示される正４角形又は正５角形、正６角形等）の対向辺の中央部から上記レンチ頭５に形成したボルト頭挟持脚５’，５’の長方形通過部６’，６’を突出させた形状であって図７（ロ）（ハ）図実線によって示される。
【００２０】
即ち図７（ロ）（ハ）図に示すように正４角形ボルト頭４の４隅を通過させる凸角部６”を４方に形成し、該凸角部６”，６”間の各辺中央部に上記ボルト頭挟持脚５’を通過させる長方形多角形部分６’を突出させて１２凸角と８凹角とよりなる異形多角形透孔６を形成し、
図７（ハ）図に示すように４方の凸角部６”，６”，６”，６”によって囲まれる正４角形部分を経て正４角形ボルト頭４を専ら通過させ、
図７（ロ）図に仮想線で示す８角形レンチ頭５及び該レンチ頭５の対向位置にボルト頭４の４個の挟持脚５’を有し、該挟持脚５’が上記長方形多角形部分６’を専ら通過するものであって、これによって特定のボルト頭４及び特定のレンチ頭５の共用及び専用通過透孔６とする。
【００２１】
上記透孔６はレンチ頭５外周のみの専用通過透孔例えば正３角形、正４角形等（図８（イ）（ロ）図）とし、レンチ頭５の外周形を該透孔６に符合させる形状となし、ボルト頭４を自由通過し得る形状とすれば足りる（図８（イ）（ロ）図）。
【００２２】
レンチ頭５には軸杆５”を設け、その上端に横杆５ａをＴ字形に設けてレンチ頭５の手動回動ハンドルＨとする。
【００２３】
そして正４角形ボルト頭４の４隅を上記透孔６の４方の凸角部６”を通過させて該ボルト頭４を上記収容室７内に落し込みボルト４’を該室７の底板７’に穿設したボルト孔８を経て底板７’の下方に垂下し、
垂下ボルト４’を横向ロック金具９に穿設した直立孔９’に嵌合し、小ボルト１４で該金具９を垂下ボルト４’に固定する。
【００２４】
又上記ハンドルＨを把持し、下端のレンチ頭５を上記透孔６に挿通する。その際図７（ロ）図に示すように４個の挟持脚５’を該透孔６の上記長方形多角形部分６’に配置した状態でレンチ頭５を下方の収容室７内に通過させ、４個の挟持脚５’，５’で図６に示すようにボルト頭４の対向側面を挟持し、上記ハンドルＨを図６矢印ａ方向に回動させることによって上記ロック金具９の先端部を鉄蓋支持フランジ１”を直下の横孔１６内に挿入し、鉄ふた２の一端部を鉄蓋指示フランジ１”の直下にロック（施錠）することができる。
【００２５】
上記共用及び専用通過透孔６は図８（イ）図、図１０（イ）（ロ）図、図１１（イ）（ロ）図に示すように方形とすることができ、円形とすることもできる（円形の場合のボルト頭挟持脚５’は弧形の弦部でボルト頭４の側面を挟持する）。
【００２６】
又図８（ロ）図、図９（イ）（ロ）図に示すように上記透孔６を３角形とすることができ、ボルト頭４は図８（ロ）図では６角形であり、図９（イ）（ロ）図ではボルト頭４とレンチ頭５とをキャップ嵌込空間３内で６０度回すことにより図９（ロ）図に示すように該空間３内で互いに挟持脚５’で係合させることができる。
【００２７】
ロック後レンチ頭５を上記透孔６を経てキャップ嵌込空間３の上方に持上げて離脱し、キャップ１２で該空間３を閉じてロック作業を終了する。
【００２８】
上記ロック作業と逆の動作によって図６に示すようにロック金具９を上記横孔１６から分離し、レンチ頭５を上方に引上げて開錠した後、鉤バー（図示せず）を上記空間３に引掛けて図２（ロ）図に示す閉鎖状態から図２（イ）図に示すように一端部を引上げて鉄蓋２を傾斜し、
さらに傾斜方向（矢印ｂ方向）に鉄蓋２を摺動させることによって上記Ｌ形金具１０の上記横向部１０’を上記出入横孔１６’から分離することができ、さらに鉄蓋２を受枠１の外側に完全に離脱し受枠１を開放することができる。
【００２９】
尚図４〜図６中４”はボルト頭４と底板７’との間及び底板７’と上記ロック金具９との間のワッシャ、４ａはボルト頭４の上面に形成した施錠・開錠方向目印線（溝）である。
【００３０】
【発明の効果】
本発明は上述のように構成したので、マンホールを鉄蓋で閉鎖し、これを受枠に施錠するに際し、施錠用ボルトの特定のボルト頭及び特定のレンチ頭を共用及び専用通過透孔を通過させ得て容易にレンチ頭でボルト頭を挟持し、鉄蓋を受枠に簡便に施錠し又は開錠し得るばかりでなく、
特定の上記レンチ頭を備えた手動回動ハンドルが無い限り、他のレンチ頭では上記通過孔を通過させ難く施錠のセキュリティ（安全）を確保し得るばかりでなく、
受枠から鉄蓋を開放して人員がマンホールに出入する際、受枠の内周に邪魔物がなく出入する人員を円滑迅速に出入させ得る効果がある。
【図面の簡単な説明】
【図１】本発明のマンホール用鉄蓋の平面図である。
【図２】（イ）図は鉄蓋の受枠から摺動分離する状態の縦断面図である。
（ロ）図は鉄蓋閉鎖状態の縦断面図である。
【図３】鉄蓋の一部分解斜視図である。
【図４】受枠及び鉄蓋の施錠状態拡大縦断面図である。
【図５】レンチ頭手動回動ハンドル及び上記施錠状態の拡大縦断面図である。
【図６】上記ハンドル及び特定レンチ頭による上記ロック金具の開錠状態の縦断面図である。
【図７】（イ）図は図５Ｂ−Ｂ線による横断底面図である。
（ロ）図は上記共用及び専用通過透孔にレンチ頭を通過させる状態の平面図である。
（ハ）図は上記通過透孔にボルト頭を通過させる状態の平面図である。
【図８】（イ）（ロ）図は上記透孔の実施例の平面図である。
【図９】（イ）図は３角形ボルト頭及び３角形レンチ頭を示す斜視図である。
（ロ）図は（イ）図の一部平面図である。
【図１０】（イ）図は４角形ボルト頭及び４角形レンチ頭を示す斜視図である。
（ロ）図は（イ）図の一部平面図である。
【図１１】（イ）図は長方形ボルト頭及び長方形レンチ頭を示す斜視図である。
（ロ）図は（イ）図の一部平面図である。
【符号の説明】
１      受枠
２      鉄蓋
ｄ      経方向線
３      キャップ嵌込空間
３’    底面板
４      ボルト頭
４’    ボルト
５      レンチ頭
５’    ボルト頭挟持脚
６      共用及び専用通過透孔
６’    多角形部分
６”    凸角部
７      ボルト頭収容室
７’    底板
８      ボルト孔
９      ロック金具
１０      Ｌ形金具
１０’    経方向横向部
１１      経方向ボルト
１６，１６’  横孔
【図１】
2005023672.tif 000003
【図２】
2005023672.tif 000004
【図３】
2005023672.tif 000005
【図４】
2005023672.tif 000006
【図５】
2005023672.tif 000007
【図６】
2005023672.tif 000008
【図７】
2005023672.tif 000009
【図８】
2005023672.tif 000010
【図９】
2005023672.tif 000011
【図１０】
2005023672.tif 000012
【図１１】
2005023672.tif 000013